(57)【特許請求の範囲】
【請求項１】
複数の接続端子と、フラット配線材と、絶縁ハウジングと、回路基板とを備え、
前記接続端子は、一端に第１の接続部が、他端に複数個の係止片と該係止片の間に介在する弾性片とを有する第２の接続部が、それぞれ設けられ、
前記フラット配線材は、複数の電気導体を絶縁材で被覆し、複数の前記接続端子が前記第１の接続部により、電気導体ごとに取り付けられるように、前記絶縁材にスリットが複数形成され、
前記絶縁ハウジングは、隣接する複数の前記端子間を電気的に絶縁しながら一体に配列するベース板と、押え板からなり、
前記回路基板は、複数の前記接続端子が前記第２の接続部により取り付けられるように挿通部が複数形成されると共に、該複数の挿通部の間に露出した回路パターンの導体が形成され、
前記第１の接続部により前記接続端子の一端と前記フラット配線材を接続し、前記第２の接続部の係止片が前記挿通部に挿通して前記絶縁ハウジングが前記回路基板に係止されると共に、前記弾性片が前記回路パターンの導体に弾性的に当接して前記接続端子と前記回路基板とを接続する、
ことを特徴とする配線体と回路基板との接続構造。
【発明の詳細な説明】
【０００１】
【発明の属する技術分野】
本発明は、接続端子及び配線体と回路基板との接続構造に関する。
【０００２】
【従来の技術】
所望の回路パターンが形成されたり、種々の電気・電子部品等が搭載された回路基板は、電線やフラットケーブル等の配線体と接続するときには、先ず、配線体に取り付けた端子を第１のコネクタハウジングに挿着する。一方、バスバーの一端を第２のコネクタハウジングを通して回路基板のスルーホールに半田付けし、他端を第２のコネクタハウジング内に配置する。そして、第１のコネクタハウジングを第２のコネクタハウジングに挿着することにより、前記端子をバスバーと接続させて、回路基板と配線体とを接続していた。
【０００３】
【発明が解決しようとする課題】
ところで、上記のような接続構造を採用すると、２つのコネクタハウジングを使用することから、回路基板と配線体との接続部が大型化するうえ、構成部品が多くなるため、回路基板の重量が増加し、配置や使用上の自由度に制約が生じてしまうという問題があった。
【０００４】
本発明は上記の点に鑑みてなされたもので、配線体と回路基板との接続部における小型化と軽量化が可能な接続端子及び配線体と回路基板との接続構造を提供することを目的とする。
【０００５】
【課題を解決するための手段】
上記目的を達成するため本発明の接続端子においては、一方に配線体と接続される第１の接続部が、他方に回路基板の接続部と接続される第２の接続部が、それぞれ設けられ、前記第２の接続部には、回路基板の挿通部に係止される係止部が形成されている構成としたのである。
【０００６】
好ましくは、前記第２の接続部に弾性片を形成する。
また、上記目的を達成するため本発明の配線体と回路基板との接続構造においては、一方に設けられた第１の接続部が配線体と接続され、他方に設けられた第２の接続部が絶縁ハウジングを介して回路基板の接続部と接続されている構成としたのである。
【０００７】
好ましくは、前記第２の接続部は係止片が設けられ、前記回路基板は前記係止片を挿通する挿通部が複数形成されると共に、前記回路基板の接続部を、前記複数の挿通部の間に露出した回路パターンの導体とする。
ここで、本明細書においては、回路基板とは所望の回路パターン及び接続用のスルーホールが形成された基板や、このような基板に種々の電気・電子部品等が搭載されたものを言う。
【０００８】
【発明の実施の形態】
以下、本発明の接続端子及び配線体と回路基板との接続構造に係る一実施形態を図１乃至図８に基づいて詳細に説明する。
接続端子１は、図１及び図２に示すように、一方に第１接続部１ａが、他方に第２接続部１ｅが、それぞれ設けられている。第１接続部１ａは、配線体である後述するフラット配線材と接続する部分で、フラット配線材の扁平導体に貫通させるクリンプ片１ｂ〜１ｄが設けられている。ここで、図１及び図２のクリンプ片１ｂ〜１ｄは、湾曲させた状態を示すが、使用前の状態では真っ直ぐな板状である。第２接続部１ｅは、後述する回路基板の接続部と接続される部分で、前後に位置を異ならせた係止片１ｆ，１ｇが設けられている。ここで、係止片１ｆ，１ｇは、交互に設けず、互いに対向する位置に形成してもよい。係止片１ｆ，１ｇには、図１及び図２に示すように、回路基板に係止される突起１ｈが形成されている。また、第２接続部１ｅは、中央に係合孔１ｊが形成され、係止片１ｆ，１ｇの間には弾性舌片１ｋが配置されている。
【０００９】
ここで、接続端子１は、フラット配線材用の配線体であるが、断面が円形の導体を有する電線（配線体）で使用する場合には、図３に示す接続端子２を用いる。
接続端子２は、図３に示すように、一方に第１接続部２ａが、他方に第２接続部２ｅが、それぞれ設けられ、第２接続部２ｅは、接続端子１の第２接続部１ｅと同様の構造を有し、同様に作用する。したがって、以下の説明並びに図３においては、対応する位置に対応する符号を使用することで重複した説明を省略する。
【００１０】
第１接続部２ａは、電線と接続するそれぞれ１組のインシュレーションバレル２ｂとワイヤバレル２ｃが設けられている。インシュレーションバレル２ｂは、電線を被覆と共に把持し、ワイヤバレル２ｃは、電線の被覆を除去して露出する導体を把持する。
また、フラット配線材は、平行に配列された複数の扁平な電気導体を絶縁材で被覆した可撓性を有するテープ状の配線体である（図４乃至図５参照）。
【００１１】
次に、以上のように構成される接続端子１を用いた本発明の配線体と回路基板の接続構造を以下に説明する。
接続端子１は、クリンプ片１ｂ〜１ｄをフラット配線材の所望の電気導体に被覆と共に貫通・係止させ、図４に示すように第１接続部１ａがフラット配線材３と接続される。フラット配線材３は、図５に示すように、接続端子１を取り付ける側において、複数の導体３ａ（図８参照）間の絶縁材３ｂにスリット３ｃが設けられている。
【００１２】
このようにして、各電気導体にクリンプ片１ｂ〜１ｄを貫通させて接続端子１が取り付けられたフラット配線材３は、図５に示すように、各接続端子１を介して電気絶縁性を有する合成樹脂からなる絶縁ハウジング５に装着される。
絶縁ハウジング５は、図５に示すように、ベース板６と押え板７を有している。ベース板６は、接続端子１及びフラット配線材３の個々の線材を配置する凹部６ａが複数形成され、各凹部６ａには接続端子１の係合孔１ｊと係合する突起（図示せず）が形成されている。ベース板６は、長手方向両側にボルト孔６ｂが形成されている。押え板７は、複数の凹部６ａに接続端子１及びフラット配線材３の個々の線材を配置したベース板６に被着する。これにより、ベース板６と押え板７は、図６に示すように、絶縁ハウジング５に組み立てられ、隣接する接続端子１を電気的に絶縁する。
【００１３】
このとき、ベース板６の複数の凹部６ａに成形誤差があっても、フラット配線材３は接続端子１を取り付ける側にスリット３ｃが設けてあるため、スリット３ｃによって誤差を吸収できるので、凹部６ａには接続端子１及びフラット配線材３の個々の線材を配置することができる。
このようにして絶縁ハウジング５が取り付けられたフラット配線材３は、図７に示すように、複数の挿通孔１０ａを有する回路基板１０と接続される。ここで、複数の挿通孔１０ａは、接続端子１の係止片１ｆ，１ｇの間隔に併せて形成されている。また、回路基板１０下面の係止片１ｆ，１ｇが挿通される挿通孔１０ａの間には、図８に示すように、回路パターンの導体１０ｃが露出している。
【００１４】
即ち、絶縁ハウジング５を回路基板１０の複数の挿通孔１０ａの直下に配置し、複数の係止片１ｆ，１ｇを対応する挿通孔１０ａに挿通する。そして、回路基板１０のボルト孔１０ｂとベース板６のボルト孔６ｂを利用してボルトにより絶縁ハウジング５を回路基板１０に固定する。但し、絶縁ハウジング５を回路基板１０に固定する手段は、ボルトに限定されるものではなく、ベース板６の両端に設けた突起の先端を回路基板１０に形成した係止孔に溶着して固定する等、種々の手段を用いることができる。
【００１５】
これにより、係止片１ｆ，１ｇの各突起１ｈが、図８に示すように、挿通孔１０ａの外部周縁に係止され、絶縁ハウジング５が回路基板１０に係止される。このとき、各接続端子１においては、係止片１ｆ，１ｇの間の弾性舌片１ｋが回路基板１０の下面に露出した導体１０ｃに弾性的に当接する。このため、接続端子１は、絶縁ハウジング５がクリープ等によって撓んでも、弾性舌片１ｋと回路パターンの導体１０ｃとの接触圧が確保される。
【００１６】
従って、本発明の配線体と配回路基板の接続構造においては、長期に亘って高い信頼性を維持することができる。
【００１７】
【発明の効果】
本発明によれば、配線体と回路基板との接続部における小型化と軽量化が可能な接続端子及び配線体と回路基板との接続構造を提供することができる。また、本発明によれば、接続端子と回路基板との間の接触圧を長期に亘って確保でき、長期に亘って高い信頼性を有する配線体と配回路基板の接続構造を提供することができる。
【図面の簡単な説明】
【図１】本発明の接続端子を一方側から見た斜視図である。
【図２】図１の接続端子を他方側から見た斜視図である。
【図３】本発明の接続端子の他の例を示す斜視図である。
【図４】図１の接続端子を配線体であるフラット配線材に取り付けた斜視図である。
【図５】フラット配線材を接続端子を介してハウジングに装着する様子を示す斜視図である。
【図６】フラット配線材を接続端子を介してハウジングに装着した斜視図である。
【図７】図６のフラット配線材と回路基板とを接続端子を介して接続する様子を示す斜視図である。
【図８】図６のフラット配線材と回路基板との接続構造を、回路基板を断面にして示す正面図である。
【符号の説明】
１              接続端子
１ａ            第１接続部
１ｂ〜１ｄ      クリンプ片
１ｅ            第２接続部
１ｆ，１ｇ      係止片
１ｈ            突起
１ｊ            係合孔
１ｋ            弾性舌片
２              接続端子
２ａ            第１接続部
２ｂ            インシュレーションバレル
２ｃ            ワイヤバレル
２ｅ            第２接続部
２ｆ，２ｇ      係止片
２ｈ            突起
２ｊ            係合孔
２ｋ            弾性舌片
３              フラット配線材３
３ａ            導体
３ｂ            絶縁材
３ｃ            スリット
５              絶縁ハウジング
６              ベース板
７              押え板
１０            回路基板
１０ａ          挿通孔
【図１】
0004057277.tif 000002
【図２】
0004057277.tif 000003
【図３】
0004057277.tif 000004
【図４】
0004057277.tif 000005
【図５】
0004057277.tif 000006
【図６】
0004057277.tif 000007
【図７】
0004057277.tif 000008
【図８】
0004057277.tif 000009